(57)【要約】移動元基地局がハンドオーバに必要なパラメータ情報を送信した後に報知情報を更新した場合のハンドオーバの失敗を防止する。  移動通信端末がセルを移行するために必要なパラメータにタイムスタンプを付与して移動元基地局から移動先基地局へ送信する。上記移動先基地局は、上記パラメータの移動元基地局との差分情報を上記タイムスタンプとともに上記移動通信端末に報知情報として送信する。上記移動通信端末は、上記移動先基地局から取得した差分情報のタイムスタンプと移動元基地局から取得した報知情報のタイムスタンプとを比較し、タイムスタンプが一致しない場合にハンドオーバを行うか否かを選択する。
2010126070.tif 000002
【特許請求の範囲】
【請求項１】
移動通信システムのハンドオーバ制御方法であって、
移動通信端末がセルを移行するために必要なパラメータにタイムスタンプを付与して移動元基地局から移動先基地局へ送信し、
上記移動先基地局は、上記パラメータの移動元基地局との差分情報を上記タイムスタンプとともに上記移動通信端末に報知情報として送信し、
上記移動通信端末は、上記移動先基地局から取得した差分情報のタイムスタンプと移動元基地局から取得した報知情報のタイムスタンプとを比較し、タイムスタンプが一致しない場合にハンドオーバを行うか否かを選択する
ことを特徴とするハンドオーバ制御方法。
【請求項２】
請求項１記載のハンドオーバ制御方法であって、
前記移動通信端末は、報知情報中のパラメータと最新の前記タイムスタンプとを比較して、前記パラメータの変化を検出する
ことを特徴とするハンドオーバ制御方法。
【請求項３】
請求項１または２記載のハンドオーバ制御方法であって、
前記移動通信端末は、ハンドオーバを実行するときは、前記移動先基地局から受信した最新の前記タイムスタンプからパラメータに前記差分情報を加算して変更されたパラメータの値を算出する
ことを特徴とするハンドオーバ制御方法。
【請求項４】
請求項１〜３のいずれか１項記載のハンドオーバ制御方法であって、
前記タイムスタンプは、前記移動元基地局から前記移動先基地局へ通知されるハンドオーバを実行するに必要なパラメータに付与されたＶａｌｕｅ  Ｔａｇであることを特徴とするハンドオーバ制御方法。
【請求項５】
請求項１〜４のいずれか１項記載のハンドオーバ制御方法であって、
前記パラメータはパラメータ群であるハンドオーバ制御方式。
【請求項６】
移動元基地局と移動先基地局とハンドオーバを実行する移動通信端末とを備え、
移動元基地局は、移動通信端末がセルを移行するために必要なパラメータにタイムスタンプを付与して移動元基地局から移動先基地局へ送信する送信手段を備え、
上記移動先基地局は、上記パラメータの移動元基地局との差分情報を上記タイムスタンプとともに上記移動通信端末に報知情報として送信する送信手段を備え、
上記移動通信端末は、上記移動先基地局から取得した差分情報のタイムスタンプと移動元基地局から取得した報知情報のタイムスタンプとを比較し、タイムスタンプが一致しない場合にハンドオーバを行うか否かを選択する選択手段を備える
ことを特徴とする移動通信システム。
【請求項７】
請求項６記載の移動通信システムであって、
前記移動通信端末は、報知情報中のパラメータの最新の前記タイムスタンプの情報が格納された記憶手段を備え、
上記記憶手段を参照して、前記パラメータの変化を検出する
ことを特徴とする移動通信システム。
【請求項８】
請求項６または７記載の移動通信システムであって、
前記移動通信端末は、ハンドオーバを実行するときは、前記移動先基地局から受信した最新の前記タイムスタンプからパラメータに前記差分情報を加算して変更されたパラメータの値を算出する
ことを特徴とする移動通信システム。
【請求項９】
請求項６〜８のいずれか１項記載の移動通信システムであって、
前記タイムスタンプは、前記移動元基地局から前記移動先基地局へ通知されるハンドオーバを実行するに必要なパラメータに付与されたＶａｌｕｅ  Ｔａｇである
ことを特徴とする移動通信システム。
【請求項１０】
請求項６〜９のいずれか１項記載の移動通信システムであって、
前記パラメータはパラメータ群である移動通信システム。
【請求項１１】
移動先基地局から取得した差分情報のタイムスタンプと移動元基地局から取得した報知情報のタイムスタンプとを比較し、タイムスタンプが一致しない場合にハンドオーバを行うか否かを選択する選択手段を備える
ことを特徴とする移動通信端末。
【請求項１２】
請求項１１記載の移動通信端末であって、
報知情報中のパラメータと、最新の前記タイムスタンプとを比較して前記パラメータの変化を検出する
ことを特徴とする移動通信端末。
【請求項１３】
請求項１１または１２記載の移動通信端末であって、
ハンドオーバを実行するときは、前記移動先基地局から受信した最新の前記タイムスタンプからパラメータに前記差分情報を加算して変更されたパラメータの値を算出する
ことを特徴とする移動通信端末。
【請求項１４】
請求項１１〜１３のいずれか１項記載の移動通信端末であって、
前記パラメータはパラメータ群である移動通信端末。
【発明の詳細な説明】
【技術分野】
【０００１】
本発明は、ハンドオーバ制御方法、移動通信システム、および移動通信端末に関する。
【背景技術】
【０００２】
次世代移動通信システムとして、ＬＴＥ（Ｌｏｎｇ  Ｔｅｒｍ  Ｅｖｏｌｕｔｉｏｎ）システムのような複数の基地局を用いた複数のセルによって１つのモバイル通信エリアを構築するようなシステムが検討されている。このシステムにおいては、通信中の移動通信端末（以下では通信端末ともいう）がセルをまたいで移動する際（以下、ハンドオーバという）に、通信状態を継続したまま移動することが可能なるようにハンドオーバ制御が考えられている。
関連する技術の通信端末は、基地局から送信された報知情報を受信して、移行先のセルの情報を把握してハンドオーバを実行する。ここで、報知情報として、通信端末がセルを移行する際に必要な複数のパラメータがある。このパラメータには、例えば、業者コード、位置情報、タイマ、セルリセレクションパラメータ、共通チャネル情報、周辺セル情報などがある。また、パラメータとしては、セルＩＤやセルの無線リソース情報も含まれている。
ＬＴＥシステムのハンドオーバ制御方式として、無線リソース使用効率及び通信端末の処理負荷軽減の観点から、通信端末に通知する無線リソース情報として、移動先基地局はその差分情報を通知することが提案されている。なお、この差分情報とは、移動元基地局が通信端末に通知した無線リソース情報を移動先基地局に送信し、移動先基地局が通知しようと考えていた無線リソース情報と比較することにより抽出されたパラメータ値に違いのある情報である。
【先行技術文献】
【特許文献】
【０００３】
【特許文献１】特開２００８−１０３８６５号公報
【非特許文献】
【０００４】
【非特許文献１】ＬＴＥ／３ＧＰＰＴＳ３６．３００  ｖ８．７．０  ２００８−１２，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）ａｎｄ  Ｅｖｏｌｖｅｄ  ＵｎｉｖｅｒｓａｌＴｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ８）
【非特許文献２】ＬＴＥ／３ＧＰＰＴＳ３６．３３１  ｖ８．４．０  ２００８−１２，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ  ８）
【非特許文献３】ＬＴＥ／３ＧＰＰＴＳ３６．４２３  ｖ８．４．０  ２００８−１２，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｘ２  ａｐｐｌｉｃａｔｉｏｎ  ｐｒｏｔｏｃｏｌ（Ｘ２ＡＰ）（Ｒｅｌｅａｓｅ  ８）
【非特許文献４】ＬＴＥ／３ＧＰＰＴＳ３６．４１３  ｖ８．４．０  ２００８−１２，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｓ１  ａｐｐｌｉｃａｔｉｏｎ  ｐｒｏｔｏｃｏｌ（Ｓ１ＡＰ）（Ｒｅｌｅａｓｅ  ８）
【発明の開示】
【発明が解決しようとする課題】
【０００５】
しかしながら、提案されているＬＴＥシステムでのハンドオーバ制御方式では、パラメータである無線リソース情報には報知情報の一部の情報も含まれている。そのため、移動元基地局が移動先基地局に報知情報の一部の情報を送信した後に報知情報を更新すると、移動先基地局が通信端末に通知する差分情報と移動元基地局から取得した更新後の報知情報に差異が生じる。その結果、ハンドオーバが失敗する可能性があった。
本発明は、ハンドオーバの失敗が発生することを防止することの可能なハンドオーバ制御方法、移動通信システム、および移動通信端末を提供することを目的とする。
【課題を解決するための手段】
【０００６】
本発明に係るハンドオーバ制御方法は移動通信システムのハンドオーバ制御方法であって、移動通信端末がセルを移行するために必要なパラメータにタイムスタンプを付与して移動元基地局から移動先基地局へ送信し、上記移動先基地局は、上記パラメータの移動元基地局との差分情報を上記タイムスタンプとともに上記移動通信端末に報知情報として送信し、上記移動通信端末は、上記移動先基地局から取得した差分情報のタイムスタンプと移動元基地局から取得した報知情報のタイムスタンプとを比較し、タイムスタンプが一致しない場合にハンドオーバを行うか否かを選択する。
本発明に係る移動通信システムは、移動元基地局と移動先基地局とハンドオーバを実行する移動通信端末とを備え、移動元基地局は、移動通信端末がセルを移行するために必要なパラメータにタイムスタンプを付与して移動元基地局から移動先基地局へ送信する送信手段を備え、上記移動先基地局は、上記パラメータの移動元基地局との差分情報を上記タイムスタンプとともに上記移動通信端末に報知情報として送信する送信手段を備え、上記移動通信端末は、上記移動先基地局から取得した差分情報のタイムスタンプと移動元基地局から取得した報知情報のタイムスタンプとを比較し、タイムスタンプが一致しない場合にハンドオーバを行うか否かを選択する選択手段を備える。
本発明に係る移動通信端末は、移動先基地局から取得した差分情報のタイムスタンプと移動元基地局から取得した報知情報のタイムスタンプとを比較し、タイムスタンプが一致しない場合にハンドオーバを行うか否かを選択する選択手段を備える。
【発明の効果】
【０００７】
本発明では、通信端末において、ハンドオーバに際して報知情報が更新されたか否かを把握して、ハンドオーバを実行するか否かを選択できるので、ハンドオーバの失敗が発生することを防止できる。
【図面の簡単な説明】
【０００８】
【図１】本発明実施の形態のシステム構成例及び制御フロー図である。
【図２】変更が発生したパラメータの最新Ｖａｌｕｅ  Ｔａｇの管理テーブル例である。
【図３】Ｖａｌｕｅ  Ｔａｇ毎の報知情報の変化分履歴情報の管理テーブル例である。
【図４】Ｖａｌｕｅ  Ｔａｇによりハンドオーバを実行するか否かを判定するフローチャートである。
【図５】Ｖａｌｕｅ  Ｔａｇが異なる場合の差分を無くすための処理を示すフローチャートである。
【図６】本発明の第２の実施の形態のシステム構成例である。
【発明を実施するための最良の形態】
【０００９】
発明を実施するための形態
（第１の実施形態）
以下図面を参照して、本発明の実施の形態を説明する。
図１には、本発明の一実施形態の移動通信システムの構成例を示す。本システムは非特許文献１〜４で示されるＬＴＥ／３ＧＰＰの無線制御システム及びハンドオーバシステムが適用されている。本システムは移動元基地局Ａ１０１と移動先基地局Ｂ１０２とこれらの基地局１０１、１０２のセルを移動する移動通信端末（以下では単に通信端末という）１０３とを含む。２つの基地局Ａ１０１〜Ｂ１０２間を接続するインタフェースは非特許文献３に示されているＸ２インタフェースが用いられており、ハンドオーバ時における通信端末の情報の転送やユーザデータの転送が、このＸ２インタフェースを介して行われる。また、図２および図３には、通信端末１０３がもつパラメータの管理テーブルの例を示す。図２は、パラメータごとにパラメータの値とタイムスタンプであるＶａｌｕｅ  Ｔａｇの最新のＶａｌｕｅ  Ｔａｇを格納した管理テーブルの例を示している。図３は、Ｖａｌｕｅ  Ｔａｇごとに報知情報のパラメータの変化分（差分）の履歴情報を格納した管理テーブルの例を示している。
以下では、移動元基地局Ａ１０１のセルに所在する通信端末１０３が移動先基地局Ｂ１０２のセルに移動し、移動先基地局Ｂ１０２を移動先基地局としてハンドオーバを実行する場合を例として説明する。
ハンドオーバの開始を決定した移動元基地局Ａ１０１は、移動先基地局Ｂ１０２との間の伝送路１０４を用いて、非特許文献３で規定されるハンドオーバ要求情報であるＸ２−ＡＰ：ＨＡＮＤＯＶＥＲ  ＲＥＱＵＥＳＴ内の「Ｈａｎｄｏｖｅｒ  Ｐｒｅｐａｒａｔｉｏｎ  Ｉｎｆｏｒｍａｔｉｏｎ（ハンドオーバ準備情報）」に含めて、報知情報の一部２０１を移動先基地局Ｂ１０２に送信する。この報知情報の一部２０１には、通信端末１０３がハンドオーバを実行するのに必要なパラメータ情報が含まれる。また、この報知情報の一部２０１のパラメータにはタイムスタンプであるＶａｌｕｅ  Ｔａｇ２０２が含まれている（パラメータごとにＶａｌｕｅ  Ｔａｇが付与されている）。このＶａｌｕｅ  Ｔａｇ２０２は移動元基地局Ａ１０２がハンドオーバの開始を決定した時点で報知されている報知情報に対応するＶａｌｕｅ  Ｔａｇである。
移動先基地局Ｂ１０２は、報知情報の一部２０１の情報と、移動先セルにて通信端末１０３に通信を継続させるために通信端末１０３に通知すべき報知情報とを比較する。移動先基地局Ｂ１０２は、比較した結果、異なる部分を報知情報の一部に対する差分情報２０３として、非特許文献３で規定されるハンドオーバ要求承認情報であるＸ２−ＡＰ：ＨＡＮＤＯＶＥＲ  ＲＥＱＵＥＳＴ  ＡＣＫＮＯＷＬＥＤＧＥ内のＲＲＣ：ＲＲＣＣｏｎｎｅｃｔｉｏｎ  Ｒｅｃｏｎｆｉｇｕｒａｔｉｏｎ（接続再設定情報）に含め、通信端末１０３に通知する。同時に、移動先基地局Ｂ１０２は、移動元基地局Ａ１０１から受信したＶａｌｕｅ  Ｔａｇ２０２を通信端末１０３に通知する。なお、図１では、差分情報２０３は、移動元基地局Ａ１０１を介して通信端末１０３に通知されるように表されているが、無線回線を介して直接通知されてもよい。
通信端末１０３は、常に移動元基地局Ａ１０１から通知される報知情報２０５とその報知情報に含まれるＶａｌｕｅ  Ｔａｇ２０６を取得している。通信端末１０３は、異なるＶａｌｕｅ  Ｔａｇに対応する報知情報２０５を受信する毎に、その報知情報の変化分を履歴情報として管理している。図２は、移動元基地局Ａ１０１から受信した報知情報２０５の中で過去に変更が発生したパラメータのリストと、パラメータの変更が発生したときのＶａｌｕｅ  Ｔａｇのうちで最新のＶａｌｕｅ  Ｔａｇを記憶している管理テーブルを示している。また、図２の管理テーブルには、最新のＶａｌｕｅ  Ｔａｇ２０６（Ｖａｌｕｅ  Ｔａｇ＝Ｎの時点）の報知情報も保持されている。
図３は、移動元基地局Ａ１０１から受信した報知情報２０５の中で過去に変更が発生したパラメータをＶａｌｕｅ  Ｔａｇ毎にその変化分を記憶している管理テーブルである。なお、この変化分は、変更が発生したＶａｌｕｅ  Ｔａｇより１つ前に受信したＶａｌｕｅ  Ｔａｇに対応する値からの変化分を示している。例えば、Ｖａｌｕｅ  Ｔａｇ＝Ｎ−４で受信した値がｐで、Ｖａｌｕｅ  Ｔａｇ＝Ｎ−４受信前に保持していた値がｑである場合は、Ｎ−４に於ける変化分はｐ−ｑである。
通信端末１０３は、移動先基地局Ｂ１０２を経由して受信したＶａｌｕｅ  Ｔａｇ２０２と、移動元基地局Ａ１０１から直接受信した最新のＶａｌｕｅ  Ｔａｇ２０６とを比較し、受信したＶａｌｕｅ  Ｔａｇ２０２とＶａｌｕｅ  Ｔａｇ２０６とが異なる場合は、次の処理を実施する。
（１）ハンドオーバを中止するか、実施するか選択する。
（２）中止する場合は、移動元基地局Ａ１０１に処理中止通知２０７により中止した旨を通知する。通信端末１０３は、ハンドオーバを中止することにより、パラメータが異なることによるハンドオーバの失敗の発生を防止できる。比較的簡易なシステムではこの段階でハンドオーバ処理を中止することにより、システムの誤動作を防止することが出来るというメリットがある。この場合には、上記比較結果が一致するようになるまでハンドオーバ動作を最初からやり直すことを繰り返すとしてもよい。また、この状態からハンドオーバを続行したい場合は、通信端末１０３は、パラメータを一致させるために、（３）以降の処理を実施する。
（３）移動先基地局Ｂ１０２から受信しなかったパラメータで、且つ、変更が発生したパラメータ、即ち最新のＶａｌｕｅ  Ｔａｇの管理テーブル（図２）で記憶されているＶａｌｕｅ  Ｔａｇのうち、移動先基地局Ｂ１０２から最後に受信したＶａｌｕｅ  Ｔａｇ２０２以降であるパラメータを抽出する。例えば、移動先基地局Ｂ１０２から最後に受信したＶａｌｕｅ  Ｔａｇ２０２がＮ−２の場合は、何らかの変化分があるパラメータＡ、Ｂ、Ｃが該当する。
（４）通信端末１０３では、（３）で抽出されたパラメータに対して、パラメータ毎に、移動先基地局Ｂ１０２がＶａｌｕｅ  Ｔａｇ２０２を受信した時点までに発生した変化分（図３に示す変化分）を、通信端末１０３が報知情報の差分情報２０３を受信した時点（Ｖａｌｕｅ  Ｔａｇ＝Ｎの時点：最新時点）で保持されている報知情報２０５（図２）に加算する。この計算により、Ｖａｌｕｅ  Ｔａｇ２０２を受信した時点で移動元基地局Ａ１０１より送信された報知情報２０５の値を算出する。例として、Ｖａｌｕｅ  Ｔａｇ＝Ｎ−２時点のパラメータＡの実値は、以下の通りに算出する。つまり、報知情報の差分情報２０３を受信した時点（Ｖａｌｕｅ  Ｔａｇ＝Ｎ）で保持されている報知情報２０５（図２）の実値（Ｖ）に、Ｖａｌｕｅ  Ｔａｇ＝Ｎ−２までの変化分ＡＮ−１と変化分ＡＮ−２を加算する。変化分がない部分は０を加算する。
（５）報知情報の一部に対する差分情報として、移動先基地局Ｂ１０２から差分情報２０３を受信したパラメータに対しては、（４）で算出されたパラメータを設定する。
（６）（３）に該当しないパラメータ、すなわち変更が発生していないパラメータに対しては、既に端末で保持しているパラメータを設定する。
上記の手順を実施することにより、通信端末１０３は、移動元基地局が報知情報の一部の情報を移動先基地局に送信した後に報知情報を更新した場合には、端末においてハンドオーバを中止するか実施するかについて選択できる。通信端末１０３は、ハンドオーバを実施する場合は次のように動作する。即ち、移動先基地局から端末に通知される報知情報の一部に対する差分情報と移動元基地局から取得した更新後の報知情報とで発生する差異をなくして設定する。その結果、ハンドオーバの失敗を防止することが可能となる。
図４、図５に、上記パラメータの設定手順をフローチャートとして示す。図４は、移動元基地局Ａから通知された報知情報と移動先基地局から通知された報知情報中のパラメータ情報のＶａｌｕｅ  Ｔａｇを比較して、異なる場合にハンドオーバを中止する場合の例を示す。ステップＳ１１〜Ｓ１４が、移動元基地局と移動先基地局から受信した報知情報の一部のＶａｌｕｅ  Ｔａｇとを比較する上述の（１）直前までの処理を示す。Ｓ１５はハンドオーバを中止するか実施するかを判断する上述（１）の処理を示す。Ｓ１６は比較結果が一致しない場合にハンドオーバを中止する上述の（２）の処理を示す。図５は、図４のＳ１７に相当し、Ｖａｌｕｅ  Ｔａｇが一致しない場合に、パラメータの差分を加算してパラメータを設定し、ハンドオーバを実行する（３）〜（６）の動作を示すものである。
以上説明したように、本実施の形態では、移動元基地局が報知情報の一部の情報でハンドオーバに必要なパラメータ情報を移動先基地局に送信した後に報知情報を更新した場合には、端末にてハンドオーバを中止するか実施するかについて選択できる。また、ハンドオーバを実施する場合は、移動先基地局から通信端末に通知される報知情報の一部に対する差分情報と移動元基地局から取得した更新後の報知情報とで発生する差異をなくして設定する。その結果、ハンドオーバの失敗を防止することが可能となる。
上述の説明は、パラメータごとにＶａｌｕｅ  Ｔａｇを付与して送信する例で説明したが、パラメータ群に対応する１つのＶａｌｕｅ  Ｔａｇを付与して送信するようにしても同等である。この場合、移動元基地局から移動先基地局、および通信端末へパラメータを送信する場合、パラメータの送信契機ごとに１つのＶａｌｕｅ  Ｔａｇを付与して報知情報を送信する。通信端末においては、図２に示す管理テーブルにおいて、パラメータごとに変更が生じたＶａｌｕｅ  Ｔａｇを管理して、変更の生じたパラメータについて加算あるいは減算処理を行って最新のパラメータ値を算出すればよい。複数のパラメータを群単位で比較処理することにより処理を簡略化できる。
（第２の実施形態）
次に、本発明の第２の実施の形態について、図６を参照して説明する。
図６に、第２の実施形態の移動通信システムの構成を示す。
図６に於いて、移動元基地局６０１は、通信端末６０３がセルを移行するために必要なパラメータにタイムスタンプを付与して移動元基地局６０１から移動先基地局６０２へ送信する送信手段６０４を備える。上記移動先基地局６０２は、上記パラメータの移動元基地局６０１との差分情報を上記タイムスタンプとともに上記通信端末６０３に報知情報として送信する送信手段６０５を備える。上記通信端末６０３は、上記移動先基地局６０２から取得した差分情報のタイムスタンプと移動元基地局６０１から取得した報知情報のタイムスタンプとを比較する。比較の結果、タイムスタンプが一致しない場合にハンドオーバを行うか否かを選択する選択手段６０６を備える。
第２の実施形態によれば、移動元基地局６０１が報知情報の一部の情報を移動先基地局６０２に送信した後に報知情報を更新した場合には、移動通信端末６０３においてハンドオーバを中止するか実施するかについて選択できる。その結果、パラメータが一致しない状態でハンドオーバを実施してしまうことによるハンドオーバの失敗を防止することが可能となる。
（第３の実施形態）
本発明の第３の実施形態は、移動通信システムのハンドオーバ制御方法である。このハンドオーバ制御方法では移動通信端末がセルを移行するために必要なパラメータごとにタイムスタンプを付与またはパラメータ群に対応する１つのタイムスタンプを付与して移動元基地局から移動先基地局へ送信する。その後、移動先基地局は、パラメータの移動元基地局との差分情報をタイムスタンプとともに移動通信端末に報知情報として送信する。移動通信端末は、移動先基地局から取得した差分情報のタイムスタンプと移動元基地局から取得した報知情報のタイムスタンプとを比較し、タイムスタンプが一致しない場合にハンドオーバを行うか否かを選択する。
（第４の実施形態）
本発明の第４の実施形態は、移動通信システムにかかるものである。基地局と移動通信端末とを備え、移動通信端末は、基地局が構成するセルを移行してハンドオーバを実行する手段を備えた移動通信システムである。移動元基地局は、移動通信端末がセルを移行するために必要なパラメータごとにタイムスタンプを付与またはパラメータ群に対応する１つのタイムスタンプを付与する。移動元基地局は、付与されたタイムスタンプを移動元基地局から移動先基地局へ送信する手段を備える。移動先基地局は、パラメータの移動元基地局との差分情報をタイムスタンプとともに移動通信端末に報知情報として送信する手段を備える。移動通信端末は、移動先基地局から取得した差分情報のタイムスタンプと移動元基地局から取得した報知情報のタイムスタンプとを比較する。比較したタイムスタンプが一致しない場合にはハンドオーバを行うか否かを選択する手段を備える。
（第５の実施形態）
本発明の第５の実施形態は、移動通信端末にかかるものであって、基地局と移動通信端末とを備え、移動通信端末は、基地局が構成するセルを移行してハンドオーバを実行する手段を備える。移動元基地局は、移動通信端末がセルを移行するために必要なパラメータごとにタイムスタンプを付与またはパラメータ群に対応する１つのタイムスタンプを付与して移動元基地局から移動先基地局へ送信する手段を備える。移動先基地局は、上記パラメータの移動元基地局との差分情報をタイムスタンプとともに上記移動通信端末に報知情報として送信する手段を備える。移動通信端末は上記の手段を備えた移動通信システムに適用される移動通信端末である。移動通信端末は、更に、移動先基地局から取得した差分情報のタイムスタンプと移動元基地局から取得した報知情報のタイムスタンプとを比較し、タイムスタンプが一致しない場合にハンドオーバを行うか否かを選択する手段を備える。
以上、実施形態を参照して本願発明を説明したが、本願発明は上記実施形態に限定されるものではない。本願発明の構成や詳細には、本願発明のスコープ内で当業者が理解し得る様々な変更をすることができる。
なお、上記ハンドオーバを実行する通信端末には、プログラムとして、情報処理装置にインストールすることにより、上記ハンドオーバを実行する通信端末の機能を実現することができる。
この出願は、２００９年４月２７日に出願された日本出願特願２００９−１０８００７を基礎とする優先権を主張し、その開示の全てをここに取り込む。
【産業上の利用可能性】
【００１０】
本発明は、ハンドオーバ制御方法、移動通信システム、および移動通信端末に関するものであり、産業上の利用可能性を有する。
【符号の説明】
【００１１】
１０１  移動元基地局Ａ
１０２  移動先基地局Ｂ
１０３  通信端末
１０４  伝送路
２０１  報知情報の一部
２０５  報知情報
２０２、２０６  Ｖａｌｕｅ  Ｔａｇ
２０３  差分情報
２０７  ハンドオーバ処理中止通知
【図１】
2010126070.tif 000003
【図２】
2010126070.tif 000004
【図３】
2010126070.tif 000005
【図４】
2010126070.tif 000006
【図５】
2010126070.tif 000007
【図６】
2010126070.tif 000008
【国際調査報告】
2010126070.tif 000009
2010126070.tif 000010
2010126070.tif 000011
2010126070.tif 000012